(57)【要約】      （修正有）【課題】食品用容器開口部と上蓋の間にジッパーを取り付けることにより密封を図り、カップ麺などの湯こぼれによる火傷・周囲の汚し、又は湿気を嫌う食品に対しては内容物を外気の湿気から守る。【解決手段】食品用容器１と上蓋２の間にジッパーと台紙を取り付けして構成し、一度開いても再度密閉可能な構造にした密封式食品用容器である。【選択図】図１
0003131762.tif 000002
【実用新案登録請求の範囲】
【請求項１】
食品用容器（１）の開口部の上端全面（Ｃ）と開口部の上端全面（Ｃ）に対応する上蓋（２）との間にジッパー（３）を取り付けたことを特徴とする食品用容器。
【請求項２】
食品用容器（１）の開口部の上端面の一部（Ｄ）と開口部の上端面の一部（Ｄ）に対応する上蓋（２）との間にジッパー（３）を取り付けたことを特徴とする食品用容器。
【請求項３】
食品用容器（１）の開口部の上端面に台紙（５）を取り付けし、前記台紙（５）の上端面と前記台紙（５）の上端面に対応する上蓋（２）との間にジッパー（３）を取り付けたことを特徴とする食品用容器。
【請求項４】
請求項１または請求項２又は請求項３に使用するジッパー（３）は、凸形状の突起（４ｂ）が凹形状の溝（４ａ）に、嵌合することによって閉じる機能を持ち、且つ、嵌合した状態で突起（４ｂ）を形成した基部（３ｂ）と溝（４ａ）を形成した基部（３ａ）が、面接触可能な形状を持つことを特徴とする食品用容器。
【請求項５】
請求項４に記載した、突起（４ｂ）を形成した基部（３ｂ）と溝（４ａ）を形成した基部（３ａ）が面接触可能な形状であり、該面接触している部分を接着することにより、気密を保つことを特徴とする食品用容器。
【請求項６】
請求項１又は請求項２又は請求項３の食品用容器（１）において、上蓋（２）の一部に設けたはがし箇所（Ａ）の近傍で、食品用容器（１）側に設けた溝（４ａ）を形成した基部（３ａ）の外側に欠損部（Ｅ）を設け、該欠損部（Ｅ）を通るように、上蓋（２）側に設けた突起（４ｂ）を枝分かれさせ、前記はがし箇所（Ａ）へほぼ直角方向に延長（Ｆ）して取り付けたことを特徴とする食品用容器。
【考案の詳細な説明】
【技術分野】
【０００１】
本考案は熱湯を注いだ後でも熱湯がこぼれず、加えて、内容物を外気の湿気から隔離する機能を持つ食品用容器に関するものである。
【背景技術】
【０００２】
従来、カップ麺などを調理する場合、インスタント麺の入った食品用容器に熱湯を注ぎ、上蓋のめくれ防止用ステッカーを貼るか、上蓋がめくれないように代替品を乗せて調理していた。また、湿気を嫌う菓子類は一度空けると湿気てしまっていた。コの字型のプラスチックの蓋が実用化されているが、空けづらく力の入れ具合によっては熱湯をこぼすことがあること、加えて、資源を多く使用し、産業廃棄物を増やすことに問題があった。
【０００３】
この改善策として食品用容器と上蓋の間にジッパーを取り付けることにより空け易くなり、資源保護と産業廃棄物量の軽減が可能となる。
【特許文献１】特公昭５５−２０９５１
【考案の開示】
【考案が解決しようとする課題】
【０００４】
しかしながら、従来の食品用容器には、次のような欠点があった。
１、インスタント麺の入ったカップ麺容器の場合、熱湯を注ぎ、蓋にめくれ防止用ステッカーを貼っていたが、蓋をステッカーで貼った部分以外はめくれてしまい、熱湯の熱が逃げたり、持ち運ぶ時に熱湯がこぼれ火傷・汚すことがあった。
２、カップ麺容器の場合、上蓋がめくれるために蓋の上に代替品を載せて使用することもあるが、重心が高くなり不安定である。また、代替品を引っ掛けてカップ麺容器を倒しこぼすことがあった。調理者含め、調理実態を知らない第三者及び子供も引っ掛けることが多く、火傷及び周囲を汚す原因となっていた。
３、湿気を嫌う菓子類の場合、一度空ければ湿気て著しく味覚を低下させた。
そこで、本考案はこれらの欠点を解消するためになされたものであって安全性があり、更に、使用が容易であり、前述の欠点を解決しようとするものである。
【課題を解決するための手段】
【０００５】
本考案は食品用容器（１）の開口部の上端全面（Ｃ）と開口部の上端全面（Ｃ）に対応する上蓋（２）の間、または、開口部の上端面の一部（Ｄ）と開口部の上端面の一部（Ｄ）に対応する上蓋（２）の間にジッパー（３）を設ける。ジッパー（３）を閉じれば熱湯を注いだ後でも熱湯こぼれが無くなり、ひっかけたとしてもこぼれず、火傷や周囲を汚す問題点を解決した、また、湿気を嫌う菓子類が湿気ることを解決した食品用容器である。
【考案の効果】
【０００６】
本考案によって、次のような顕著な効果が生じた。
１、熱湯を注いだ後も熱が逃げないため、調理時間が短縮される。
２、ステッカーを貼ったり、代替品を載せる必要がなくなる。
３、転倒してこぼれた時の熱湯による火傷がなくなる。
４、熱湯の注いだ後でもこぼれにくく、持ち運びが安全になる。
５、熱湯を注いだ後でも開封しやすく、熱湯又は具の追加も容易になる。
６、湿気を嫌う菓子類も湿気無いため、味覚を維持できる。
【考案を実施するための最良の形態】
【０００７】
本考案を実施するための最良の形態を、添付図に基づき説明する。
請求項１又は請求項２の食品用容器（１）において、図６又は図７又は図８又は図１０又は図１０のように開口部の上端全面（Ｃ）と開口部の上端全面（Ｃ）に対応する上蓋（２）の間、または、開口部の上端面の一部（Ｄ）と開口部の上端面の一部（Ｄ）に対応する上蓋（２）の間にジッパー（３）を取り付けることにより、熱湯こぼれによる火傷や周囲の汚し又は内容物を外気の湿気から守ることができる。
【０００８】
請求項３の食品用容器（１）において、図３又は図４又は図９のように開口部の上端全面（Ｃ）に開口部幅（Ｇ）と同じ幅（Ｇ）で台紙（５）を取り付けし、前記台紙（５）の上端全面（Ｃ）と前記台紙（５）の上端全面（Ｃ）に対応する上蓋（２）の間、又は、前記台紙（５）の上端面の一部（Ｄ）と前記台紙（５）の上端面の一部（Ｄ）に対応する上蓋（２）の間にジッパー（３）を取り付ける。台紙（５）を使用し、且つ、調理後に台紙（５）をはがし取ることにより、ジッパー（３）の取付けに接着剤を使用しても食品用容器（１）に接着剤は残らず、健康と味覚を妨げない。台紙（５）は紙製にこだわらないが、従来の接着方法で接着できる素材が好ましい。しかしながら、台紙（５）は健康と味覚を考慮したものであり、健康と味覚を妨げないジッパー（３）の接着方法があれば台紙（５）は必要としない。
【０００９】
請求項１又は請求項２の食品用容器（１）において、図６のように開口部の上端全面（Ｃ）に開口部幅（Ｇ）と同じ幅（Ｇ）で且つ、溝（４ａ）を内在して形成した基部（３ａ）を取り付け、開口部の上端全面（Ｃ）に対応する上蓋（２）の間に突起（４ｂ）を形成した基部（３ｂ）を取り付け嵌合させることによりジッパー（３）機能が働き、面接触部分も広く取れる。
【００１０】
請求項１又は請求項２の食品用容器（１）において、開口部の上端面の一部（Ｄ）に開口部幅（Ｇ）と同じ幅（Ｇ）で且つ、溝（４ａ）を内在して形成した基部（３ａ）を取り付け、開口部の上端面の一部（Ｄ）に対応する上蓋（２）の間に突起（４ｂ）を形成した基部（３ｂ）を取り付けることによりジッパー（３）機能が働き、上蓋（２）を閉じても上蓋（２）に段差ができず、面接着部分も広く取れる。
【００１１】
請求項３の食品用容器（１）において、図９のように開口部の上端全面（Ｃ）に開口部幅（Ｇ）と同じ幅（Ｇ）で台紙（５）を取り付け、前記台紙（５）の上端全面（Ｃ）と前記台紙（５）の上端全面（Ｃ）に対応する上蓋（２）の間に溝（４ａ）を内在して形成した基部（３ａ）を取り付け、開口部の上端全面（Ｃ）に対応する上蓋（２）の間に突起（４ｂ）を形成した基部（３ｂ）を取り付けることによりジッパー（３）機能が働き、上蓋（２）を閉じても上蓋（２）に段差ができず、面接着部分も広く取れる。
【００１２】
請求項１又は請求項２又は請求項３の食品用容器のジッパー（３）の密閉を保持する力（密封力）は内容物の重量に応じて設定するのが良いが、熱湯を使用する食品用容器（１）では密封力・密着力の強いジッパー（３）を設けることが効果的である。溝（４ａ）を内在して形成した基部（３ａ）と突起（４ｂ）を形成した基部（３ｂ）を嵌合させることにより、上蓋（２）を閉じても段差はできず、面接触部分を接着することにより完全密封となるため、工場から顧客に届くまで商品品質は従来と変わらない。また、溝（４ａ）を内在して形成した基部（３ａ）と突起（４ｂ）を形成した基部（３ｂ）を嵌合させて面接触部分を接着するため、
一度はがせばジッパー（３）機能は働いても、面接着部分の再接着はできず、痕跡が残るため安全性は確保できる。
【００１３】
請求項１又は請求項２の食品用容器（１）において、図７のように開口部の上端全面（Ｃ）の高さに合わせて溝（４ａ）を内在して形成した基部（３ａ）を食品用容器（１）に埋め込み、上端全面（Ｃ）に対応する上蓋（２）の間に、突起（４ｂ）を形成した基部（３ｂ）を取り付ける、又は、図１０のように開口部の上端面の一部（Ｄ）の高さに合わせて溝（４ａ）を内在して形成した基部（３ａ）を食品用容器（１）に埋め込み、上端面の一部（Ｄ）に対応する上蓋（２）の間に、突起（４ｂ）を形成した基部（３ｂ）を取り付け、嵌合させる。上端面の一部（Ｄ）以外の面接触部分が確保されるため、従来の接着方法で、完全密封となり、工場から顧客に届くまで商品品質も従来と変わらない。
【００１４】
請求項１又は請求項２又は請求項３の食品用容器において、図５のように上蓋（２）の一部に設けたはがし箇所（Ａ）の近傍で食品用容器（１）側に設けた溝（４ａ）を形成した基部（３ａ）の外側に欠損部（Ｅ）を設け、該欠損部（Ｅ）を通るように上蓋（２）側に設けた突起（４ｂ）を形成した基部（３ｂ）を枝分かれさせ、前記はがし箇所（Ａ）にほぼ直角方向に延長（Ｆ）することにより、はがすことが容易となり、熱湯や具を追加する時でも容易に開かれるため、熱湯こぼれが無くなり、火傷や周囲の汚しは解消できる。
【実施例１】
【００１５】
食品用容器（１）の上端面に接着するジッパー（３）は、上端全面（Ｃ）とするか上端面の一部（Ｄ）とするかは使用用途により判断すること望ましいが、熱湯を使用する場合、基部の取り付けは上端全面（Ｃ）と上端全面（Ｃ）に対応する上蓋（２）の間とし、溝（４ａ）を形成した基部（３ａ）と突起（４ｂ）を形成した基部（３ｂ）を嵌合させてジッパー（３）として機能する部分を基部の一部分に設けたほうがジッパー（３）の開閉が容易で使い易い。
【実施例２】
【００１６】
食品用容器（１）の開口部の上端全面（Ｃ）に取り付ける台紙（５）は、紙製にこだわらず健康や味覚を妨げない従来の接着方法で接着できる素材であれば良い。
【実施例３】
【００１７】
請求項１又は請求項２の食品用容器（１）において、図１１のように溝（４ａ）を形成した基部（３ａ）にはがし箇所（Ｈ）を設け、調理後は溝（４ａ）を形成した基部（３ａ）のはがし箇所（Ｈ）より、突起（４ｂ）を形成した基部（３ｂ）と上蓋（２）とまとめてはがすことができる。
【実施例４】
【００１８】
請求項３の食品用容器において、図３のように台紙（５）にはがし箇所（Ｂ）を設け、調理後は台紙（５）のはがし箇所（Ｂ）よりジッパー（３）、上蓋（２）とまとめてはがすことができる。
【実施例５】
【００１９】
請求項１又は請求項２又は請求項３の食品用容器（１）のジッパー（３）は、図６又は図７又は図９又は図１０又は図１１のように溝（４ａ）を内在して形成した基部（３ａ）と、突起（４ｂ）を形成した基部（３ｂ）と嵌合させてジッパー（３）機能を働かせる。溝（４ａ）を内在して形成した基部（３ａ）を使用することにより、上蓋（２）を閉じても段差は生じず、面接着部分も広く取れ完全密封包装が可能となる。
【実施例６】
【００２０】
請求項１又は請求項２の食品用容器（１）において、図７のように開口部の上端全面（Ｃ）に高さを合わせて溝（４ａ）を内在して形成した基部（３ａ）を食品用容器（１）に埋め込み、上端全面（Ｃ）に対応する上蓋（２）との間に突起（４ｂ）を形成した基部（３ｂ）を取り付けし、嵌合させることによりジッパー（３）機能が働き、密封度が高まり、湯こぼれも無く、上蓋（２）を閉じても段差が生じず、面接着部分も広く取れ完全密封包装が可能となる。
【実施例７】
【００２１】
請求項１又は請求項２の食品用容器（１）において、図１０のように開口部の上端面の一部（Ｄ）に高さを合わせて溝（４ａ）を内在して形成した基部（３ａ）を食品用容器（１）に埋め込み、上端面の一部（Ｄ）に対応する上蓋（２）の間に突起（４ｂ）を形成した基部（３ｂ）を取り付けし、嵌合させることにより、ジッパー（３）機能が働き、湯こぼれも無く、上蓋（２）を閉じても段差が生じず、加えて、食品用容器（１）と上蓋（２）の面接着部分が全体的に確保されるため、従来の接着方法で完全密封となり、工場から顧客に届くまでの商品品質は従来と変わらない。
【実施例８】
【００２２】
請求項１又は請求項２において、食品用容器（１）の開口部の上端面と開口部の上端面に対応する上蓋（２）の間、又は請求項３の開口部の上端面に取り付ける台紙（５）と前記台紙（５）と開口部の上端面に対応する上蓋（５）との間に取り付けするジッパー（３）の密閉を保持する力（密封力）は、内容物の重量に応じて設定するのが良いが熱湯を使用する食品用容器（１）では密封力・密着力の強いジッパー（３）を設けることが望ましい。
【００２３】
本考案の一実施例は上記の如き構成からなるものであるから、密封力・密閉力を高めることは勿論であるがジッパーを用いることにより火傷や周囲の汚し又は湿気を嫌う菓子類の湿気を防止でき、はがし箇所より容易に開くことができる。コンビニで熱湯を注いで運ぶ姿を見かけるが、こんな時もジッパーを締めれば、熱湯が手にこぼれ、火傷をすることも解決する。ポリ袋に入れて運べば尚一層安全で、数個運ぶことが可能である。 
【図面の簡単な説明】
【００２４】
【図１】本考案の密封式食品用容器を示す斜面図である。
【図２】食品用容器の上蓋を半面開いた時の上面図である。
【図３】食品用容器開口部のはがし箇所Ａからはがし箇所Ｂの断面図である。（台紙使用）
【図４】食品用容器の断面図である。（台紙を使用した例）
【図５】はがし箇所Ａの上面拡大図である。
【図６】食品用容器の断面図である。（溝を内在して形成した基部を上端全面に取り付けた例）
【図７】食品用容器の断面図である。（溝を内在して形成した基部を食品用容器の開口部上端全面に埋め込んだ例）
【図８】食品用容器の断面図である。（台紙を使用しない例）
【図９】食用品容器の断面図である。（台紙を使用して、溝を内在して形成した基部を上端面に取り付けた例）
【図１０】食品用容器の断面図である。（溝を内在して形成した基部を、食用品容器の開口部上端面の一部に埋め込んだ例）
【図１１】食品用容器開口部のはがし箇所Ａからはがし箇所Ｈの断面図である。                  （台紙使用しない例）
【符号の説明】
【００２５】
１    食品用容器
２    食品用容器の蓋
３    ジッパー
３ａ  溝を形成した基部
３ｂ  突起を形成した基部
４ａ  凹溝を形成した基部の溝  
４ｂ  凸突起を形成した基部の突起
５    台紙
Ａ    上蓋のはがし箇所
Ｂ    台紙のはがし箇所
Ｃ    食品用容器開口部上端全面
Ｄ    食品用容器開口部上端面の一部
Ｅ    溝を形成した基部の欠損部
Ｆ    突起の枝分かれした延長部分
Ｇ    食品用容器の開口部幅
Ｈ    ジッパー（溝を形成した基部）のはがし箇所
【図１】
0003131762.tif 000003
【図２】
0003131762.tif 000004
【図３】
0003131762.tif 000005
【図４】
0003131762.tif 000006
【図５】
0003131762.tif 000007
【図６】
0003131762.tif 000008
【図７】
0003131762.tif 000009
【図８】
0003131762.tif 000010
【図９】
0003131762.tif 000011
【図１０】
0003131762.tif 000012
【図１１】
0003131762.tif 000013
【手続補正書】
【提出日】平成19年3月2日(2007.3.2)
【手続補正１】
【補正対象書類名】実用新案登録請求の範囲
【補正対象項目名】請求項４
【補正方法】変更
【補正の内容】
【請求項４】
請求項１又は請求項２又は請求項３に記載した食品用容器に使用するジッパー（３）は、凸形状の突起（４ｂ）が凹形状の溝（４ａ）に、嵌合することによって閉じる機能を持ち、且つ、嵌合した状態で突起（４ｂ）を形成した基部（３ｂ）と溝（４ａ）を形成した基部（３ａ）が、面接触可能な形状を持つことを特徴とする食品用容器。